(57)【要約】【課題】帯電部材に付着した多数の異物を、帯電部材から取り除くことができる像保持体装置、及び画像形成装置を得る。【解決手段】帯電部材２０の周速度Ｖｂとし、像保持体１８の周速度Ｖｐとした場合に、式（１）が満たされているため、異物２００が像保持体１８の外周面によって擦られ、異物２００に弾性部材７６の外周面から剥離しようとする剥離力が作用する。これにより、弾性部材７６（帯電部材２０）に付着した多数の異物２００が、帯電部材２０から取り除かれる。【選択図】図１
2016004065.tif 000002
【特許請求の範囲】
【請求項１】
回転又は周回する像保持体と、
前記像保持体に従動して回転し、前記像保持体の外周面を帯電する帯電部材と、を備え、
前記帯電部材の周速度をＶｂとし、前記像保持体の周速度をＶｐとした場合に式（１）が満たされている像保持体装置。
０．２≦（Ｖｂ／Ｖｐ）≦０．９・・・・・・・・式（１）
【請求項２】
前記帯電部材は、軸材を有し、
前記軸材の両端部との間で摩擦力を生じさせることで前記式（１）が満たされるように前記帯電部材の回転を抑制する抑制部材を備える請求項１に記載の像保持体装置。
【請求項３】
請求項１又は２に記載の像保持体装置と、
前記像保持体装置に備えられる像保持体の外周面に画像を形成する画像形成部材と、
を備える画像形成装置。
【発明の詳細な説明】
【技術分野】
【０００１】
本発明は、像保持体装置、及び画像形成装置に関する。
【背景技術】
【０００２】
特許文献１には、感光体ドラム（像保持体）の外周面の動摩擦係数が低い場合においても、帯電ロール（帯電部材）が回転する感光体ドラムに従動して回転する構成が記載されている。
【先行技術文献】
【特許文献】
【０００３】
【特許文献１】特開２００８−１５４２３２号公報
【発明の概要】
【発明が解決しようとする課題】
【０００４】
従来の構成では、装置内に浮遊する異物が帯電部材の外周面に付着した場合に、この異物は、帯電部材と像保持体とが接触する挟持部で、帯電部材の外周面側に押し付けられていた。
【０００５】
本発明の課題は、帯電部材に付着した多数の異物を、帯電部材から取り除くことである。
【課題を解決するための手段】
【０００６】
請求項１に係る像保持体装置は、回転又は周回する像保持体と、前記像保持体に従動して回転し、前記像保持体の外周面を帯電する帯電部材と、を備え、前記帯電部材の周速度をＶｂとし、前記像保持体の周速度をＶｐとした場合に式（１）が満たされていることを特徴とする。
【０００７】
０．２≦（Ｖｂ／Ｖｐ）≦０．９・・・・・・・・式（１）
請求項２に係る像保持体装置は、請求項１に記載の像保持体装置において、前記帯電部材は、軸材を有し、前記軸材の両端部との間で摩擦力を生じさせることで前記式（１）が満たされるように前記帯電部材の回転を抑制する抑制部材を備えることを特徴とする。
【０００８】
請求項３に係る画像形成装置は、請求項１又は２に記載の像保持体装置と、前記像保持体装置に備えられる像保持体の外周面に画像を形成する画像形成部材と、を備えることを特徴とする。
【発明の効果】
【０００９】
請求項１の像保持体装置によれば、像保持体の周速度と帯電部材の周速度とが同じ場合と比して、帯電部材に付着した多数の異物を、帯電部材から取り除くことができる。
【００１０】
請求項２の像保持体装置によれば、軸材の両端部との間で摩擦力を生じさせることで帯電部材の回転を抑制する抑制部材を備えていない場合と比して、簡易な構成で帯電部材の回転を抑制することができる。
【００１１】
請求項３の画像形成装置によれば、請求項１又は２に記載の像保持体装置を備えていない場合と比して、像保持体の帯電ムラに起因して生じる画像の品質低下を抑制することができる。
【図面の簡単な説明】
【００１２】
【図１】（Ａ）（Ｂ）（Ｃ）本発明の実施形態に係る像保持体装置の作用を説明するのに用いた工程図である。
【図２】（Ａ）（Ｂ）（Ｃ）本発明の実施形態に係る像保持体装置の作用を説明するのに用いた工程図である。
【図３】本発明の実施形態に係る像保持体装置を示した断面図である。
【図４】本発明の実施形態の実施例に係る像保持体装置の評価結果と、比較例に係る像保持体の評価結果とを表で示した図面である。
【図５】本発明の実施形態に係る像保持体装置の帯電部材を示した拡大斜視図である。
【図６】本発明の実施形態に係る像保持体装置を示した正面図である。
【図７】本発明の実施形態に係る画像形成装置を示した概略構成図である。
【発明を実施するための形態】
【００１３】
本発明の実施形態に係る像保持体装置、及び画像形成装置の一例を図１〜図７に従って説明する。なお図中に示す矢印ＵＰは鉛直方向上方を示す。
【００１４】
（全体構成）
図７に示されるように、画像形成装置１０の本体１０Ａの内部には、入力される画像データに対して画像処理を行なう画像処理部１２が設けられている。
【００１５】
この画像処理部１２は、入力された画像データをイエロー（Ｙ）、マゼンタ（Ｍ）、シアン（Ｃ）、ブラック（Ｋ）の４色の階調データに処理するようになっている。そして、この処理された階調データを受け取って、レーザ光ＬＢによる画像露光を行う露光装置１４が本体１０Ａ内の中央側に設けられている。
【００１６】
また、露光装置１４の上方には、イエロー（Ｙ）、マゼンタ（Ｍ）、シアン（Ｃ）、ブラック（Ｋ）の４つの画像形成ユニット１６Ｙ、１６Ｍ、１６Ｃ、１６Ｋが、水平方向（図中左右方向）に間隔をおいて配置されている。なお、Ｙ，Ｍ，Ｃ，Ｋを区別して説明する必要が無い場合は、Ｙ，Ｍ，Ｃ，Ｋを省略して記載することがある。
【００１７】
これらの４つの画像形成ユニット１６Ｙ、１６Ｍ、１６Ｃ、１６Ｋは、すべて同様に構成されている。そして、各画像形成ユニット１６は、予め決められた速度で回転駆動される円柱状の像保持体１８と、この像保持体１８の外周面を帯電する帯電部材２０と、を備えている。さらに、各画像形成ユニット１６は、前述した露光装置１４（画像形成部材の一例）の画像露光によって帯電した像保持体１８の外周面に形成された静電潜像を、予め決められた色のトナーで現像してトナー画像として可視化する現像装置２２（画像形成部材の一例）を備えている。
【００１８】
また、各画像形成ユニット１６は、像保持体１８の外周面を清掃する清掃ブレード２４を備えている。そして、像保持体１８と帯電部材２０とを含んで、像保持体装置６４が構成されており、像保持体装置６４（図６参照）は、本体１０Ａに対して着脱可能とされている。なお、像保持体装置６４については、詳細を後述する。
【００１９】
また、露光装置１４には、４つの画像形成ユニット１６Ｙ、１６Ｍ、１６Ｃ、１６Ｋに共通に構成された、図示しない４つの半導体レーザが設けられている。そして、これらの半導体レーザからレーザ光ＬＢ−Ｙ、ＬＢ−Ｍ、ＬＢ−Ｃ、ＬＢ−Ｋが階調データに応じて出射されるようになっている。
【００２０】
なお、半導体レーザから出射されたレーザ光ＬＢ−Ｙ、ＬＢ−Ｍ、ＬＢ−Ｃ、ＬＢ−Ｋは、図示しないｆ−θレンズを介して回転多面鏡であるポリゴンミラー２６に照射され、このポリゴンミラー２６によって偏向走査されるようになっている。そして、このポリゴンミラー２６によって偏向走査されたレーザ光ＬＢ−Ｙ、ＬＢ−Ｍ、ＬＢ−Ｃ、ＬＢ−Ｋは、図示しない結像レンズ及び複数枚のミラーを介して、像保持体１８上の露光ポイントに、斜め下方から走査露光されるようになっている。
【００２１】
また、この露光装置１４は、下方から像保持体１８上に画像を走査露光するものであるため、この露光装置１４には、上方に位置する４つの画像形成ユニット１６Ｙ、１６Ｍ、１６Ｃ、１６Ｋの現像装置２２等からトナー等が落下する虞が有る。そのため、露光装置１４は、その周囲が直方体状のフレーム２８によって密閉されている。また、フレーム２８の上部には、４本のレーザ光ＬＢ−Ｙ、ＬＢ−Ｍ、ＬＢ−Ｃ、ＬＢ−Ｋを、各画像形成ユニット１６Ｙ、１６Ｍ、１６Ｃ、１６Ｋの像保持体１８上に向けて透過させる透明なガラス製のウインドウ３０Ｙ、３０Ｍ、３０Ｃ、３０Ｋが設けられている。
【００２２】
一方、各画像形成ユニット１６Ｙ、１６Ｍ、１６Ｃ、１６Ｋの上方には、一次転写ユニット２１が設けられている。この一次転写ユニット２１は、無端状の中間転写ベルト３２と、中間転写ベルト３２が巻き掛けられ、回転駆動して中間転写ベルト３２を矢印方向に周回させる駆動ロール４０と、を備えている。また、一次転写ユニット２１は、中間転写ベルト３２が巻き掛けられ、中間転写ベルト３２に張力を付与する張力付与ロール３６と、中間転写ベルト３２の外周面を清掃する清掃ブレード３８と、を備えている。さらに、一次転写ユニット２１は、中間転写ベルト３２を挟んで像保持体１８Ｙ、１８Ｍ、１８Ｃ、１８Ｋの反対側に配置される一次転写ロール３４Ｙ、３４Ｍ、３４Ｃ、３４Ｋを備えている。
【００２３】
そして、この４つの一次転写ロール３４Ｙ、３４Ｍ、３４Ｃ、３４Ｋによって、画像形成ユニット１６Ｙ、１６Ｍ、１６Ｃ、１６Ｋの像保持体１８上に順次形成された各色のトナー画像が、中間転写ベルト３２上に、多重に転写される構成となっている。
【００２４】
また、中間転写ベルト３２を挟んで駆動ロール４０の反対側には、二次転写ロール４２が設けられている。中間転写ベルト３２上に多重に転写された各色のトナー画像は、中間転写ベルト３２により搬送され、駆動ロール４０と二次転写ロール４２とに挟まれ、用紙搬送経路５６に沿って搬送される記録媒体としてのシート部材Ｐに二次転写されるようになっている。
【００２５】
さらに、二次転写ロール４２に対してシート部材Ｐの搬送方向の下流側（以下単に「搬送方向下流側」と言う）には、シート部材Ｐに転写されたトナー画像を熱及び圧力によりシート部材Ｐに定着する定着装置４４が設けられている。
【００２６】
また、定着装置４４の搬送方向下流側には、トナー画像が定着したシート部材Ｐを画像形成装置１０の本体１０Ａの上部に設けられた排出部４８に排出する排出ロール４６が設けられている。
【００２７】
一方、画像形成装置１０の本体１０Ａ内の下側には、シート部材Ｐが積載される給紙部材５０が設けられている。さらに、この給紙部材５０に積載されたシート部材Ｐを用紙搬送経路５６へ送り出す給紙ロール５２が設けられ、給紙ロール５２の搬送方向下流側には、シート部材Ｐを１枚ずつ分離して搬送る分離ロール５４が設けられている。また、分離ロール５４の搬送方向下流側には、搬送タイミングを合わせる位置合せロール５８が設けられている。これにより、給紙部材５０から供給されたシート部材Ｐは、予め決められたタイミングで回転する位置合せロール５８によって中間転写ベルト３２と二次転写ロール４２とが接する位置（二次転写位置）へ送り出される構成となっている。
【００２８】
さらに、排出ロール４６の隣りには、定着装置４４によって表面に画像が定着されたシート部材Ｐを、排出ロール４６によって排出部４８上にそのまま排出せずに、両面用搬送経路６２に搬送する搬送ロール６０が設けられている。これにより、両面用搬送経路６２に沿って搬送されるシート部材Ｐは、表裏が反転された状態で、位置合せロール５８へと再度搬送され、今度は、シート部材Ｐの裏面にトナー画像が転写・定着されて排出部４８上に排出されるようになっている。
【００２９】
（全体構成の作用）
この構成により、以下のようにシート部材Ｐに画像が形成される。
【００３０】
先ず、画像処理部１２から露光装置１４に各色の階調データが順次出力され、この露光装置１４から階調データに応じて出射された各色のレーザ光は、帯電部材２０によって帯電した像保持体１８の外周面に走査露光される。そして、像保持体１８の外周面に静電潜像が形成される。像保持体１８上に形成された静電潜像は、現像装置２２Ｙ、２２Ｍ、２２Ｃ、２２Ｋによって、それぞれイエロー（Ｙ）、マゼンタ（Ｍ）、シアン（Ｃ）、ブラック（Ｋ）の各色のトナー画像として可視化される。
【００３１】
さらに、各色の画像形成ユニット１６の上方に渡って配置された一次転写ユニット２１の一次転写ロール３４によって、像保持体１８上に形成された各色のトナー画像が、周回する中間転写ベルト３２上に多重に転写される。
【００３２】
また、中間転写ベルト３２上に多重に転写された各色のトナー画像は、二次転写ロール４２により、位置合せロール５８によって用紙搬送経路５６に予め決められたタイミングで搬送されたシート部材Ｐに二次転写される。
【００３３】
さらに、トナー画像が転写されたシート部材Ｐは、定着装置４４へと搬送される。シート部材Ｐに転写されたトナー画像は、定着装置４４によってシート部材Ｐに定着され、定着された後、画像形成装置１０の本体１０Ａの上部に設けられた排出部４８に排出ロール４６によって排出される。
【００３４】
一方、シート部材Ｐの両面に画像を形成させる場合は、定着装置４４によって表面に画像が定着されたシート部材Ｐを、排出ロール４６によって排出部４８上にそのまま排出せず、搬送方向を切り替え、搬送ロール６０を介して両面用搬送経路６２へと搬送する。そして、両面用搬送経路６２に沿ってシート部材Ｐを搬送することで、シート部材Ｐの表裏が反転され、シート部材Ｐが再度位置合せロール５８へと搬送される。今度は、シート部材Ｐの裏面にトナー画像が転写・定着され、転写・定着された後、排出部４８上に排出ロール４６によって排出される。
【００３５】
（要部構成）
次に、像保持体装置６４について説明する。
【００３６】
像保持体装置６４は、図６に示されるように、回転する像保持体１８と、回転する像保持体１８に従動して回転しながら像保持体１８を帯電させる帯電部材２０と、を備えている。
【００３７】
帯電部材２０は、像保持体１８の回転軸方向に沿って延びる円柱状の軸材７８と、内部に軸材７８が貫通している円筒状の弾性部材７６と、を備えている。そして、軸材７８の両端部が、軸材７８の両端側に配置されている一対の支持部材７２（抑制部材の一例）に支持されている。
【００３８】
また、この一対の支持部材７２を介して帯電部材２０を像保持体１８に向けて押圧する（付勢する）図示せぬ一対の押圧部材が備えられている。本実施形態では、一対の押圧部材によって、帯電部材２０は、像保持体の外周面に４〔Ｎ〕以上５．５〔Ｎ〕以下の押圧力で押圧されている。
【００３９】
この構成において、軸材７８に電圧を印加することで、帯電部材２０と像保持体１８とに電流が流れ、像保持体１８の外周面が帯電するようになっている。
【００４０】
〔軸材〕
軸材７８は、導電性の部材である。本実施形態では、軸材７８は、一例として、外径８〔ｍｍ〕、全長３５５〔ｍｍ〕の円柱状とされ、導電性の部材として、硫黄複合快削鋼（ＳＵＭ）が用いられている。  
【００４１】
〔弾性部材〕
弾性部材７６は、図３に示されるように、イオン導電性の弾性層８０に、電子導電性物質を分散させた保護層８２を積層させた部材である。弾性部材７６は、一例として、外径１２〔ｍｍ〕、内径８〔ｍｍ〕、全長３２０〔ｍｍ〕の円筒状とされている。さらに、保護層８２の厚さは、一例として、１０〔μｍ〕とされている。
【００４２】
また、弾性層８０を構成する材料には、一例として、３元系エピクロルヒドリンゴム（例えば、エピクロルヒドリン−エチレンオキシド−アリルグリシジルエーテル共重合ゴム）が用いられ、保護層８２を構成する材料には、一例として、ポリアミドが用いられている。
【００４３】
〔支持部材〕
支持部材７２は、樹脂材料（本実施形態では、一例として、ポリアセタール）で成形されている。そして、支持部材７２には、図５に示されるように、軸材７８を滑らせながら回転可能に支持する半円状の凹部７２Ａが形成されている。
【００４４】
ここで、半円状の凹部７２Ａの直径（図中寸法Ｄ１）は、軸材７８の直径（図中寸法Ｄ２）より小さくされており、軸材７８が凹部７２Ａに支持された状態で、軸材７８は、凹部７２Ａを押し広げている。この状態で、軸材７８の外周面と凹部７２Ａとが面接触している。
【００４５】
このため、帯電部材２０が、回転する像保持体１８に従動して回転する際に、軸材７８と凹部７２Ａとの間で生じる摩擦力により、下記式（１）が満たされるようになっている。具体的には、帯電部材２０の周速度をＶｂとし、像保持体１８の周速度をＶｐとすると、前述した摩擦力により周速度Ｖｂが周速度Ｖｐより遅くなり、下記式（１）が満たされるようになっている。言すれば、下記式（１）が満たされるように、前述した寸法Ｄ１、及び寸法Ｄ２が決められている。
【００４６】
０．２≦（Ｖｂ／Ｖｐ）≦０．９・・・・・・・・式（１）
〔評価〕
本実施形態に係る像保持体装置６４の実施例と、比較例とを評価した結果について図４を用いて説明する。
【００４７】
１．評価仕様
・実施例１：Ｖｂ／Ｖｐを、０．９とした。
・実施例２：Ｖｂ／Ｖｐを、０．５とした。
・実施例３：Ｖｂ／Ｖｐを、０．２とした。
・比較例１：Ｖｂ／Ｖｐを、１とした。
・比較例２：Ｖｂ／Ｖｐを、０．１とした。
【００４８】
なお、前述した仕様以外については、実施例１〜３と比較例１〜２とでは同様である。
【００４９】
２．評価方法
実施例１〜３、及び比較例１〜２の像保持体装置を、富士ゼロックス社製のＤｏｃｕＣｅｎｔｅｒＩＶＣ５５７０に取り付け、５万枚のＡ４サイズのシート部材Ｐに、黒色のハーフトーン５０％画像を形成させた。なお、像保持体１８の外径は３０〔ｍｍ〕で、像保持体１８の周速度は２５０〔ｍｍ／ｓｅｃ〕である。
【００５０】
３．評価項目・評価基準
（１）５万枚のシート部材Ｐに画像を形成する前後で、弾性部材７６の抵抗値を算出した。具体的には、軸材７８を接地して、弾性部材７６の外表面に電圧を印加することで、弾性部材７６を流れる電流を計測し、印加された電圧と計測された電流とから弾性部材７６の抵抗値を算出した（抵抗値の評価）。
【００５１】
５万枚のシート部材Ｐに画像を形成する前後での抵抗値の変化率が、５０％未満の場合は、像保持体１８に対する帯電性能の影響が少ないため、「○」、５０％以上の場合は「×」とした。  
（２）最後に出力されたシート部材Ｐの画像を目視で評価した（官能評価）。出力画像に筋等が発生しておらず、出力画像の品質の低下が抑制されている場合は、「○」とし、筋等が発生している場合は、「×」とした（出力画像の品質評価）。
【００５２】
４．評価結果
図４に示される表のように、実施例１〜３については、抵抗値の評価、及び出力画像の品質評価共に、「○」となった。
【００５３】
これに対して、比較例１〜３については、抵抗値の評価、及び出力画像の品質評価共に、「×」となった。
【００５４】
比較例１で「×」となったのは、異物２００が像保持体１８の外周面によって擦られ、異物２００に弾性部材７６の外周面から剥離しようとする剥離力が作用しないため、と考えられる。
【００５５】
また、比較例２で「×」となったのは、周速度差が大きいため、像保持体の帯電量が安定しないこと、また、周速度差が大きいため、帯電部材２０の外周面が傷付くこと等が考えられる。
【００５６】
５．考察
（１）実施例１〜３の抵抗値の評価については、稼働中に帯電部材２０の弾性部材７６の外周面に付着した異物が、稼働中に帯電部材２０から取り除かれることで、「○」となったと考えられる。
【００５７】
具体的には、図１（Ａ）に示されるように、帯電部材２０の弾性部材７６の外周面にトナー等の異物２００が付着すると、回転する帯電部材２０に搬送される。そして、図１（Ｂ）に示されるように、異物２００は、像保持体１８と帯電部材２０とが接触する挟持部Ｋで、帯電部材２０と像保持体１８とに挟まれる。ここで、前述したように、帯電部材２０の周速度をＶｂとし、像保持体１８の周速度をＶｐとすると、式（１）が満たされている。このため、異物２００が像保持体１８の外周面によって擦られ、異物２００には、弾性部材７６の外周面から剥離しようとする剥離力が作用する。
【００５８】
そして、図１（Ｃ）に示されるように、異物２００が、弾性部材７６の外周面から剥離する。このように、稼働中に帯電部材２０の弾性部材７６の外周面に付着した多数の異物が、稼働中に帯電部材２０から取り除かれる。
（２）実施例１〜３の出力画像の品質評価については、像保持体１８の外周面に生じる帯電ムラが抑制されることで、「○」となったと考えられる。
【００５９】
具体的には、図２（Ａ）に示されるように、弾性部材７６の製造過程で、弾性層８０と保護層８２との間に異物２０２が侵入することがある。この異物２０２は、回転する帯電部材２０によって搬送され、像保持体１８と帯電部材２０との挟持部Ｋに近づく。
【００６０】
ここで、像保持体１８の外周面は、帯電部材２０との間で生じる放電により帯電する。また、帯電部材２０の周速度をＶｂと、像保持体１８の周速度をＶｐとの間には、式（１）が満たされるように、周速度差が生じている。このため、挟持部Ｋに異物２０２が近づく過程で、異物２０２と対向する像保持体１８の外周面の図中Ｊ部（図２（Ａ）参照）は、像保持体１８及び帯電部材２０が回転するにつれて、図２（Ｂ）（Ｃ）に示されるように、異物２０２と対向する位置から離れる。
【００６１】
このように、異物２０２との間で放電する像保持体１８の外周面の位置と異物２０２との位置関係は、前述した式（１）を満たす周速度差によって変化する。このため、異物２０２との間で放電することによって帯電する像保持体１８の外周面の位置が同様の位置である場合と比して、像保持体１８の外周面に生じる帯電ムラが抑制される。
【００６２】
（要部構成のまとめ）
以上の考察からも分かるように、帯電部材２０の周速度Ｖｂとし、像保持体１８の周速度Ｖｐとした場合に、式（１）が満たされているため、弾性部材７６（帯電部材２０）に付着した多数の異物２００が、帯電部材２０から取り除かれる。
【００６３】
また、帯電部材２０の周速度Ｖｂとし、像保持体１８の周速度Ｖｐとした場合に、式（１）が満たされているため、像保持体１８の外周面に生じる帯電ムラが抑制される。
【００６４】
また、弾性部材７６（帯電部材２０）に付着した多数の異物２００が、帯電部材２０から取り除かれることでも、像保持体１８の外周面に生じる帯電ムラが抑制される。
【００６５】
また、像保持体１８の外周面に生じる帯電ムラが抑制されることで、出力画像の品質の低下が抑制される。
【００６６】
また、軸材７８と凹部７２Ａとの間で生じる摩擦力により、帯電部材２０の周速度Ｖｂと、像保持体１８の周速度Ｖｐとの間に、式（１）の関係が満たされている。このように、簡易な構成で式（１）の関係が満たされる。
【００６７】
なお、本発明を特定の実施形態について詳細に説明したが、本発明は係る実施形態に限定されるものではなく、本発明の範囲内にて他の種々の実施形態をとることが可能であることは当業者にとって明らかである。例えば、上記実施形態では、弾性層８０を構成する材料として、３元系エピクロルヒドリンゴムを用い、保護層８２を構成する材料として、ポリアミドを用いたが、他の材料を用いてもよい。
【符号の説明】
【００６８】
１０          画像形成装置
１４          露光装置（画像形成部材の一例）
１８          像保持体
２０          帯電部材
２２          現像装置（画像形成部材の一例）
６４          像保持体装置
７２          支持部材（抑制部材の一例）
７８          軸材
【図１】
2016004065.tif 000003
【図２】
2016004065.tif 000004
【図３】
2016004065.tif 000005
【図４】
2016004065.tif 000006
【図５】
2016004065.tif 000007
【図６】
2016004065.tif 000008
【図７】
2016004065.tif 000009